【手続補正書】
【提出日】平成30年11月13日(2018.11.13)
【手続補正１】
【補正対象書類名】特許請求の範囲
【補正対象項目名】全文
【補正方法】変更
【補正の内容】
【特許請求の範囲】
【請求項１】
タッチセンス装置であって、該タッチセンス装置は：
行導体及び列導体を含むタッチインターフェース；
第１の行導体上で第１の固有の直交信号を送信するための第１の行信号発生器；
第２の行導体上で第２の行信号を送信するための第２の行信号発生器であって、第２の行信号と第１の固有の直交信号は差動的な行グループの一部である、第２の行信号発生器；
第３の行導体上で第２の固有の直交信号を生成するための第３の行信号発生器であって、第２の固有の直交信号は第１の固有の直交信号に対して直交である、第３の行信号発生器；
列導体の少なくとも１つに存在する信号を処理することによりタッチインターフェース上でタッチ事象を識別するように構成されるタッチプロセッサ
を含むタッチセンス装置。
【請求項２】
第１の固有の直交信号及び第２の行信号は、等しく組み合わされた場合に互いに実質的に軽減し、それによりクロストークの干渉が実質的に減少される、ことを特徴とする請求項１に記載のタッチセンス装置。
【請求項３】
第１の行導体及び第２の行導体は、第１の行導体と第２の行導体との間の最小の物理的距離を維持する、最小の物理的間隔によって、間隔を空けられる、ことを特徴とする請求項１に記載のタッチセンス装置。
【請求項４】
差動的な行グループは、差動的な行グループの第１の行導体と第２の行導体との間の最大の物理的距離を維持するために、最大の物理的間隔を有している、ことを特徴とする請求項３に記載のタッチセンス装置。
【請求項５】
タッチセンス装置であって、該タッチセンス装置は：
行導体と列導体を含むタッチインターフェース；
第１の複数の行導体上にそれぞれ、複数の固有の直交信号を送信するための第１の行信号発生器；
第２の複数の行導体上にそれぞれ、複数の固有の直交列信号の送信と同時に、複数の行信号を送信するための第２の行信号発生器であって、複数の行信号の１つ、及び固有の直交信号の１つはそれぞれ、差動的な行グループの一部である、第２の行信号発生器；
列導体の少なくとも１つに存在する信号を処理することによりタッチインターフェース上のタッチ事象を識別するように構成されるタッチプロセッサ
を含む、タッチセンス装置。
【請求項６】
差動的な行グループの各々における信号は、等しく組み合わされた場合に互いに実質的に軽減し、それによりクロストークの干渉が実質的に減少される、ことを特徴とする請求項５に記載のタッチセンス装置。
【請求項７】
複数の差動的な行グループにおける第１の行導体及び第２の行導体は、第１の行導体と第２の行導体との間の最小の物理的距離を維持する、最小の物理的間隔によって、間隔を空けられる、ことを特徴とする請求項５に記載のタッチセンス装置。
【請求項８】
差動的な行グループは、少なくとも１つの差動的な行グループの第１の行導体と第２の行導体との間の最大の物理的距離を維持するために、最大の物理的間隔を有している、ことを特徴とする請求項７に記載のタッチセンス装置。
【請求項９】
タッチセンス装置であって、該タッチセンス装置は：
行導体と列導体を含むタッチインターフェース；
複数のフレームの各々の間で列導体の少なくとも１つに存在する信号を処理することによりタッチインターフェース上のタッチを識別するためのタッチプロセッサ；
複数のフレームの各々の少なくとも一部の間で複数の行導体に行信号のマッピングを同時に送信する行信号発生器
を含み、ここで、同じマッピングは非連続フレームにおいて送信され、行信号発生器は：
少なくとも複数の行導体が、複数の固有の直交信号の少なくとも１つ及び少なくとも１つの逆信号を含む、信号の差動的な行グループを運ぶ、第１のマッピング；及び
第１のマッピングとは異なるものであり、少なくとも別の複数の行導体が信号の差動的な行グループを運ぶ、第２のマッピング
を生成するように構成される、タッチセンス装置。
【請求項１０】
差動的な行グループにおける信号は、等しく組み合わされた場合に互いに実質的に軽減し、それによりクロストークの干渉が実質的に減少される、ことを特徴とする請求項９に記載のタッチセンス装置。
【請求項１１】
各々が差動的な行グループにおける信号を運ぶ、第１の行導体及び第２の行導体は、第１の行導体と第２の行導体との間の最小の物理的距離を維持する、最小の物理的間隔によって、間隔を空けられる、ことを特徴とする請求項９に記載のタッチセンス装置。
【請求項１２】
差動的な行グループは、差動的な行グループの第１の行導体と第２の行導体との間の最大の物理的距離を維持するために、最大の物理的間隔を有している、ことを特徴とする請求項１１に記載のタッチセンス装置。
【請求項１３】
行導体と列導体を含むタッチインターフェースを有している装置上でタッチを感知する方法であって、該方法は：
第１の行導体上で第１の固有の直交行信号を送信する工程；
第２の行導体上で第２の固有の直交行信号を送信する工程；
第３の行導体上で第３の行信号を送信する工程
を含み；
ここで、第１の行信号と第２の行信号はそれぞれ固有のものであるとともに互いに対して直交しており、第２の行信号と第３の行信号は共に、行信号の差動的グループを形成し；
前記方法は更に、
フレーム中で列導体の少なくとも１つに存在する列信号を検出する工程；及び
検出された列信号を処理することによりタッチインターフェース上のタッチ事象を識別する工程
を含む、方法。
【請求項１４】
第１の固有の直交信号及び第３の行信号は、等しく組み合わされた場合に互いに実質的に軽減し、それによりクロストークの干渉が実質的に減少される、ことを特徴とする請求項１３に記載の方法。
【請求項１５】
第１の行導体及び第２の行導体は、第１の行導体と第２の行導体との間の最小の物理的距離を維持する、最小の物理的間隔によって、間隔を空けられる、ことを特徴とする請求項１３に記載の方法。
【請求項１６】
差動的な行グループは、差動的な行グループの第１の行導体と第２の行導体との間の最大の物理的距離を維持するために、最大の物理的間隔を有している、ことを特徴とする請求項１３に記載の方法。
【請求項１７】
行導体、列導体、及び信号発生器を有するタッチセンス装置上でタッチを識別する際に使用するための符号を有している、コンピュータ可読媒体であって、
信号発生器に、第１の複数の行導体それぞれの上で複数の固有の直交信号を送信させるための符号；
信号発生器に、第２の複数の行導体それぞれの上で、複数の固有の直交信号の送信と同時に、複数の行信号を送信させるための符号であって、複数の行信号の１つ及び複数の固有の直交信号の１つはそれぞれ、差動的な行グループの一部である、符号；
列導体の少なくとも１つに存在する信号を処理することによりタッチインターフェース上のタッチ事象を識別するための符号
を含む、コンピュータ可読媒体。
【請求項１８】
差動的な行グループにおける信号は、等しく組み合わされた場合に互いに軽減し、それによりクロストークの干渉が実質的に減少される、ことを特徴とする請求項１７に記載のコンピュータ可読媒体。
【請求項１９】
差動的な行グループは、複数の差動的な行グループの１つであり、複数の差動的な行グループは第１のフレームと第２のフレームとの間で再びマッピングされる、ことを特徴とする請求項１７に記載のコンピュータ可読媒体。
【請求項２０】
フレーム単位で差動的な行グループを再びマッピングするための符号を更に含む、請求項１７に記載のコンピュータ可読媒体。